(57)【要約】【課題】  高い放熱効果を有すると共に騒音を抑えることができる空気調和機の室外機を提供する。【解決手段】  空気調和機の室外機は、室外機ケーシング５と、送風ファン３８と、電装品箱４３とを備える。室外機ケーシング５は、内部が、機械室Ｓ１と通気室Ｓ２とに分けられており、通気室Ｓ２は、機械室Ｓ１の側方の第１空間Ｓ３から機械室Ｓ１の後方の第２空間Ｓ４に亘って設けられる。送風ファン３８は、通気室Ｓ２の第１空間Ｓ３に配置される。電装品箱４３は、機械室Ｓ１から通気室Ｓ２の第２空間Ｓ４へと突出する放熱フィン８３を有する。そして、電装品箱４３は、放熱フィン８３が送風ファン３８の直上空間および送風ファン３８の後方空間の直上空間へと突出しないように配置される。【選択図】      図６
2005069584.tif 000002
【特許請求の範囲】
【請求項１】
内部が、機械室（Ｓ１）と、前記機械室（Ｓ１）の側方の第１空間（Ｓ３）から前記機械室（Ｓ１）の後方の第２空間（Ｓ４）に亘って設けられた通気室（Ｓ２）とに分けられた室外機ケーシング（５）と、
前記通気室（Ｓ２）の第１空間（Ｓ３）に配置される送風ファン（３８）と、
前記機械室（Ｓ１）から前記通気室（Ｓ２）の第２空間（Ｓ４）へと突出する放熱フィン（８３）を有し、前記放熱フィン（８３）が前記送風ファン（３８）の直上空間および前記送風ファン（３８）の後方空間の直上空間へと突出しないように配置される電装品箱（４３）と、
を備える空気調和機（１）の室外機（３）。
【請求項２】
前記通気室（Ｓ２）の前記送風ファン（３８）の後方空間から前記第２空間（Ｓ４）に亘って配置される室外熱交換器（３０）をさらに備え、
前記放熱フィン（８３）は、前記機械室（Ｓ１）から前記室外熱交換器（３０）側へと突出するように配置される、
請求項１に記載の空気調和機（１）の室外機（３）。
【請求項３】
前記室外機ケーシング（５）は、内部を前記機械室（Ｓ１）と前記通気室とに仕切る仕切り部材（５６）を有し、
前記放熱フィン（８３）は、前記仕切り部材（５６）の前記送風ファン（３８）側の最端位置よりも機械室（Ｓ１）側に配置される、
請求項１または２に記載の空気調和機（１）の室外機（３）。
【請求項４】
前記仕切り部材（５６）には、前記機械室（Ｓ１）から前記通気室の第２空間（Ｓ４）へと連通する開口（５６ｃ）が設けられており、
前記電装品箱（４３）は、前記放熱フィン（８３）が前記開口（５６ｃ）を通って前記通気室（Ｓ２）へと突出するように前記機械室（Ｓ１）に収容される、
請求項３に記載の空気調和機（１）の室外機（３）。
【発明の詳細な説明】
【技術分野】
【０００１】
本発明は、空気調和機の室外機に関する。
【背景技術】
【０００２】
一般に、空気調和機の室外機は、内部が機械室と通気室とに分けられており、室外熱交換器や送風ファンなどが通気室に配置され、水分から保護する必要の有る電装品を有する電装品箱は機械室に配置される。一方、電装品には発熱部品が含まれることが多く、電装品箱は、放熱のための放熱フィンを備えることが多い。この放熱フィンによる放熱効果を高めるためには、放熱フィンを空気の流量の大きい通気室に露出させることが望ましい。従って、従来の空気調和機の室外機では、放熱フィンが通気室へと突出するように電装品箱を配置させることが多い（特許文献１参照）。例えば、電装品箱を機械室と通気室とに跨って配置させ、放熱フィンが通気室に位置するように電装品箱を配置させる。これにより、放熱フィンが送風ファンによって生じた空気流によって冷却され、放熱フィンによる放熱効果を向上させることができる。
【特許文献１】特許第３１３９３６５号明細書  （第１図および第２図）
【発明の開示】
【発明が解決しようとする課題】
【０００３】
しかし、上記のように放熱フィンが通気室へと突出するように電装品箱を配置させる場合、放熱フィンが送風ファンによる空気流に干渉することがある。そして、放熱フィンが空気流に干渉すると、空気流の乱れによって騒音が発生する恐れがある。
【０００４】
本発明の課題は、高い放熱効果を有すると共に騒音を抑えることができる空気調和機の室外機を提供することにある。
【課題を解決するための手段】
【０００５】
請求項１に記載の空気調和機の室外機は、室外機ケーシングと、送風ファンと、電装品箱とを備える。室外機ケーシングは、内部が、機械室と通気室とに分けられており、通気室は、機械室の側方の第１空間から機械室の後方の第２空間に亘って設けられる。送風ファンは、通気室の第１空間に配置される。電装品箱は、機械室から通気室の第２空間へと突出する放熱フィンを有する。そして、電装品箱は、放熱フィンが送風ファンの直上空間および送風ファンの後方空間の直上空間へと突出しないように配置される。
【０００６】
この空気調和機の室外機では、放熱フィンが通気室へと突出しているため、高い放熱効果を有する。また、送風ファンは、機械室の側方の第１空間に配置されており、放熱フィンは、機械室の後方の第２空間へと突出している。そして、放熱フィンは、送風ファンの直上空間および送風ファンの後方空間の直上空間へと突出していない。このため、放熱フィンが送風ファンによる空気流に干渉する恐れが少ない。従って、放熱フィンが空気流に干渉することによって発生する騒音を抑えることができる。このように、この空気調和機の室外機は、高い放熱効果を有すると共に騒音を抑えることができる。
【０００７】
請求項２に記載の空気調和機の室外機は、請求項１に記載の空気調和機の室外機であって、通気室の送風ファンの後方空間から第２空間に亘って配置される室外熱交換器をさらに備える。そして、放熱フィンは、機械室から室外熱交換器側へと突出するように配置される。
【０００８】
この空気調和機の室外機では、放熱フィンは、機械室から室外熱交換器側へと突出するように配置される。室外熱交換器には多量の空気が出入りするため、放熱フィンが室外熱交換器側へと突出することによって、放熱フィンによる放熱効果をより向上させることができる。
【０００９】
請求項３に記載の空気調和機の室外機は、請求項１または２に記載の空気調和機の室外機であって、室外機ケーシングは、内部を機械室と通気室とに仕切る仕切り部材を有する。そして、放熱フィンは、仕切り部材の送風ファン側の最端位置よりも機械室側に配置される。
【００１０】
この空気調和機の室外機では、放熱フィンは、仕切り部材の送風ファン側の最端位置よりも機械室側に配置される。このため、空気の流れが強い仕切り部材の送風ファン側に放熱フィンが突出していない。このため、この空気調和機の室外機では、騒音をより抑えることができる。
【００１１】
請求項４に記載の空気調和機の室外機は、請求項３に記載の空気調和機の室外機であって、仕切り部材には、機械室から通気室の第２空間へと連通する開口が設けられている。そして、電装品箱は、放熱フィンが開口を通って通気室へと突出するように、機械室に収容される。
【００１２】
この空気調和機の室外機では、電装品箱は、放熱フィンが仕切板の開口を通って通気室へと突出するように、機械室に収容される。このため、電装品箱を水分からより安全に保護すると共に、放熱フィンによる放熱効果を向上させることができる。
【発明の効果】
【００１３】
請求項１に記載の空気調和機の室外機では、放熱フィンが通気室へと突出しているため、高い放熱効果を有する。また、放熱フィンは、送風ファンの直上空間および送風ファンの後方空間の直上空間へと突出していないため、放熱フィンが送風ファンによる空気流に干渉する恐れが少ない。従って、この空気調和機の室外機では、高い放熱効果を有すると共に騒音を抑えることができる。
【００１４】
請求項２に記載の空気調和機の室外機では、放熱フィンが室外熱交換器側へと突出することによって、放熱フィンによる放熱効果をより向上させることができる。
【００１５】
請求項３に記載の空気調和機の室外機では、空気の流れが強い仕切り部材の送風ファン側に放熱フィンが突出していない。このため、この空気調和機の室外機では、騒音をより抑えることができる。
【００１６】
請求項４に記載の空気調和機の室外機では、電装品箱は、放熱フィンが仕切板の開口を通って通気室へと突出するように、機械室に収容される。このため、電装品箱を水分からより安全に保護すると共に、放熱フィンによる放熱効果を向上させることができる。
【発明を実施するための最良の形態】
【００１７】
＜空気調和機の全体構成＞
本発明の一実施形態が採用された空気調和機１の外観を図１に示す。
【００１８】
この空気調和機１は、室内の壁面などに取り付けられる室内機２と、室外に設置される室外機３とを備えている。
【００１９】
室内機２内には室内熱交換器７０が収納され、室外機３内には室外熱交換器３０が収納されており、各熱交換器３０，７０が冷媒配管４により接続されることにより冷媒回路を構成している（図２参照）
＜空気調和機の冷媒回路の構成概略＞
空気調和機１の冷媒回路の構成を図２に示す。この冷媒回路は、主として室内熱交換器７０、アキュムレータ３１、圧縮機３２、四路切換弁３３、室外熱交換器３０および電動膨張弁３４で構成される。
【００２０】
室内機２に設けられている室内熱交換器７０は、接触する空気との間で熱交換を行う。また、室内機２には、室内空気を吸い込んで室内熱交換器７０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。
【００２１】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器７０の一端と接続される。また、四路切換弁３３は、ガス閉鎖弁３７を介して配管４２に接続されており、この配管４２を介して室内熱交換器７０の他端と接続されている。この配管４１，４２は、図１の冷媒配管４に相当する。また、室外機３には、室外熱交換器３０での熱交換後の空気を外部に排出するための送風ファン３８が設けられている。この送風ファン３８は、ファンモータ３９によって回転駆動される。
【００２２】
以下、室外機の構成について詳細に説明する。
【００２３】
＜室外機の構成＞
室外機３は、図３に示すように、室外機ケーシング５（図１参照）、圧縮機３２、四路切換弁３３、電動膨張弁３４（図２参照）、閉鎖弁３６，３７、リアクタ４０、電装品箱４３、室外熱交換器３０、送風ファン３８、ファンモータ３９、ファンモータ台４４、ベルマウス４５などを備えている。
【００２４】
室外機ケーシング５は、主として、天板５０、底板５１、前板５２、左側板５３、右側板５４、閉鎖弁カバー５５、仕切板５６を有している。
【００２５】
天板５０は、室外機３の上面に配置され、室外機３の内部空間の上面を覆う。天板５０は、板金で形成されている。また、天板５０の縁は鉛直方向下向きに屈曲されており、屈曲された部分のうち前側に位置する天板前部５８には、後述する前板組立体６を固定するための固定手段として螺子穴が設けられている。
【００２６】
底板５１は、室外機３の下面に配置され、室外機３の内部空間の下方を覆う。底板５１は板金で形成されている。また、底板５１の縁は鉛直方向上向きに屈曲されており、屈曲された部分のうち前側に位置する底板前部５７には、前板組立体６を固定するための固定手段として螺子穴が設けられている。
【００２７】
前板５２は、ポリプロピレンなどの樹脂から形成されており、室外機３の前面に設けられる。前板５２は、ベルマウス４５やファンモータ台４４の前面側に配置されており、前板５２、ファンモータ台４４、ファンモータ３９、ベルマウス４５、送風ファン３８はモージュール化された前板組立体６を構成している。前板５２の上端と下端とにはそれぞれ螺子穴が設けられており、前板組立体６が室外機３に固定される際には、前板５２の螺子穴と、天板前部５８と底板前部５７とに設けられた螺子穴とに螺子が通されて、前板５２と天板５０および前板５２と底板５１が螺子止めされる。また、前板５２には、複数のスリット状の吹出し孔５９が設けられている。送風ファン３８によって生成され、室外機３の背面から通気室に吸い込まれた空気流は、この吹出し孔５９を通って室外機３の外部へと排出される。また、吹出し孔５９が設けられた部分の中央近傍には、吹出し孔５９が設けられていない円形の中実部６１が設けられており、この中実部６１は正面視においてファンモータ３９と重なる位置に配置される。
【００２８】
左側板５３は、室外機３の左側面に配置され、室外機３の内部空間の左側方を覆う。左側板５３は板金で形成されている。
【００２９】
右側板５４は、室外機３の内部空間の右側方を覆っている。右側板５４は板金で形成されている。また、右側板５４のさらに右側方すなわち外側には、樹脂製の閉鎖弁カバー５５が取り付けられる。
【００３０】
仕切板５６は、底板５１に対して垂直に設けられる。仕切板５６は、上面視において略Ｌ字型に屈曲した形状を有しており、室外機３の前後方向に略平行な第１仕切部５６ａと、第１仕切部５６ａの後端から右側板５４へ向かって延設された第２仕切部５６ｂとを有している。第１仕切部５６ａは、室外機３の前面から背面へ向かって延びる平板状の部材である。図４に示すように、第１仕切部５６ａの前端は室外機３の前面まで達しているが、後端は室外機３の背面までは達しておらず背面の前方に位置している。第２仕切部５６ｂは、第１仕切部５６ａの後端から連続して右側板５４へ向かって延びる平板状の部材である。第２仕切部５６ｂは、室外機３の背面よりも前方に位置しており、その左側端は第１仕切部５６ａの後端と連続し、その右側端は右側板５４の後部に達している。仕切板５６は、室外機ケーシング５の内部を機械室Ｓ１と通気室Ｓ２とに仕切る。機械室Ｓ１は、仕切板５６と右側板５４と前板５２の右側の一部とに囲まれる空間であり、雨風の侵入が抑えられている。従って、機械室Ｓ１には、図４および図５に示すように、電装品箱４３や圧縮機３２などの風雨から保護する必要のある機械部品の多くが収容される。室外機ケーシング５の他の空間は、室外機３の外部から取り込まれ室外熱交換器３０を通って室外へと排出される空気が通る通気室Ｓ２となっている。図６に示すように、通気室Ｓ２は第１空間Ｓ３と第２空間Ｓ４とを有しており、機械室Ｓ１の側方の第１空間Ｓ３から機械室Ｓ１の後方の第２空間Ｓ４に亘って設けられている。第１空間Ｓ３は、第１仕切部５６ａの左側に位置しており、室外機３の前面と背面および左側板５３と第１仕切部５６ａに囲まれている。第２空間Ｓ４は第２仕切部５６ｂの後方に位置しており、第２仕切部５６ｂ、室外機３の背面および右側板５４に囲まれている。また、第２仕切部５６ｂの上部には、機械室Ｓ１から通気室Ｓ２の第２空間Ｓ４へと連通する開口からなる放熱フィン突出孔５６ｃが設けられている（図３参照）。
【００３１】
なお、図４は、室外機３の構成の一部を示す斜視概観図である。図５は、室外機３の構成の一部を示す前面図である。図６は、室外機３の構成の一部を示す上面図である。また、図４、図５および図６においては、理解の容易のために一部の構成を省略して記載している。
【００３２】
圧縮機３２は、機械室Ｓ１に配置されており、底板５１に固定される。四路切換弁３３は、圧縮機３２の側方に配置される。電動膨張弁３４（図２参照）は、圧縮機３２と同様に機械室Ｓ１に配置され、圧縮機３２の側方に配置される。閉鎖弁３６，３７は、右側板５４の下方に配置される。リアクタ４０は、第１仕切部５６ａの機械室Ｓ１側の側壁に配置される。
【００３３】
電装品箱４３は、機械室Ｓ１の上部に配置される。電装品箱４３には、各種装置の制御を行うためのマイクロコンピュータチップや制御プログラムを格納するメモリなどの制御回路、その他の制御部品が内装されており、圧縮機３２、四路切換弁３３、電動膨張弁３４、リアクタ４０とハーネスなどによって接続される。電装品箱４３については後に詳細に説明する。
【００３４】
室外熱交換器３０は、通気室Ｓ２に配置されており、通過する空気との間で熱交換を行う。室外熱交換器３０は、室外機３の背面および左側板５３に沿って設けられており、背面に略平行な第１熱交換部３０ａと左側板５３に平行な第２熱交換部３０ｂとを有する略Ｌ字形状の形状を有している。図６に示すように、第１熱交換部３０ａは、第１空間Ｓ３の送風ファン３８の後方空間および第２空間Ｓ４に位置しており、第１熱交換部３０ａの右側端は、機械室Ｓ１の後方であって右側板５４の近傍まで達している。すなわち、第１熱交換部３０ａは、第１空間Ｓ３および第２空間Ｓ４に亘って配置されている。第２熱交換部３０ｂは、第１空間Ｓ３の送風ファン３８の左側方に位置しており、左側板５３に近接して配置される。
【００３５】
送風ファン３８は、複数の羽を有するプロペラファンであり、通気室Ｓ２の第１空間Ｓ３に配置されている。送風ファン３８は、通気室Ｓ２の第１空間Ｓ３のうち室外熱交換器３０の下流側に位置しており、第１熱交換部３０ａの前方に位置している。図５に示すように、送風ファン３８は、正面視において、通気室Ｓ２の第１空間Ｓ３の略中央に配置されており、第１仕切部５６ａの左側方に位置している。また、図４に示すように、送風ファン３８の中心には、ファンモータ収容部６２が設けられている。ファンモータ収容部６２は、一方の底面が開口した中空の円筒形状を有しており、送風ファン３８が室外機３に収容された状態では、この開口が前面側すなわち下流側に向くように配置される。ファンモータ収容部６２には、ファンモータ３９が前面側から挿入されて収容される。送風ファン３８は、ファンモータ３９の回転軸に固定され、ファンモータ３９によって前後方向に平行な軸を中心に回転駆動される。送風ファン３８によって生成された空気流は、室外機３の背面側から通気室Ｓ２へと取り込まれ、室外熱交換器３０、ベルマウス４５、前板５２の吹出し孔５９を通って、室外機３の外部へと排出される。
【００３６】
ベルマウス４５は、ポリプロピレンなどの樹脂から形成されており、送風ファン３８によって生成され室外へと吹き出す空気流を案内する空気経路を形成する。ベルマウス４５は、前板５２の内面に沿って前板５２の内面に固定され、送風ファン３８の周囲を覆うように配置される。送風ファン３８によって生成された空気流は、外部から室外機３の背面側を通って通気室Ｓ２に取り込まれ、室外熱交換器３０を通り、ベルマウス４５の開口および前板５２の吹出し孔５９を通って室外機３の外部へと吹き出す。
【００３７】
ファンモータ３９は、前面側から送風ファン３８に取り付けられる。ファンモータ３９は、回転軸が室外機３の前後方向に平行に位置するように配置される。ファンモータ３９の回転軸は送風ファン３８の回転中心に固定され、ファンモータ３９は送風ファン３８を回転駆動する。
【００３８】
ファンモータ台４４は、ファンモータ３９が固定されファンモータ３９を支持する部材であり、板金から形成されている。ファンモータ台４４は、図５および図６に示すように、送風ファン３８の前面側に配置されており、ファンモータ３９の前面側であって、ベルマウス４５の前面側に配置されている。ファンモータ台４４は、前板５２の内面に沿って配置され、前板５２の内面に固定される。従って、ファンモータ台４４は、前板５２を基準にして位置決めされる。また、ファンモータ台４４は、前板組立体６が組み立てられた状態では、前板５２とベルマウス４５との間に位置して前板５２とベルマウス４５とに内接する。
【００３９】
＜電装品箱の構成＞
電装品箱４３は、図４および図５に示すように、機械室Ｓ１の上部に収容される。電装品箱４３は、図７に示すように、電装品箱本体８１、制御基板８２および放熱フィン８３を有している。
【００４０】
［電装品箱本体］
電装品箱本体８１は、制御基板８２を内部に収容する。電装品箱本体８１は、弾性を有する樹脂材料から一体成型された箱状の形状を有し、前面に第１開口８４が設けられている。なお、電装品箱の構成の説明においていう「前面」は、電装品箱４３が機械室Ｓ１に取り付けられた状態における室外機３の前面側に位置する電装品箱本体８１の面をいう。第１開口８４は、電装品箱本体８１の前面全体に亘って設けられており、この第１開口８４を通して制御基板８２が電装品箱本体８１の内部に取り付けられる。また、電装品箱本体８１の背面部分は、一部が後方へ向けて隆起した形状となっている。すなわち、電装品箱本体８１は、図８に示すように、内部に収容される第１制御基板８５と第２制御基板８６との形状に合わせた形状となっており、第１部８７と第２部８８とを有する。第１部８７は、第１制御基板８５を内部に収容する部分であり、電装品箱本体８１の奥側に位置する後方へと隆起する部分である。第２部８８は、第２制御基板８６を内部に収容する部分であり、第１開口８４と第１部８７との間に位置し第１開口８４に隣接する。なお、ここでいう「奥側」とは、電装品箱本体８１の第１開口８４の反対側であり、電装品箱本体８１の背面側をいう。第１部８７は、第１開口８４からみて第２部８８よりも小さい形状に形成されている。また、図７に示すように、電装品箱本体８１の背面部分には、第１部８７に隣接して第２開口８９が設けられている。第２開口８９は、第１開口８４に対向して電装品箱本体８１の背面側に設けられており、図８に示すように、電装品箱本体８１の外側へと突出する放熱フィン８３が通る。なお、図８は、室外機３に取り付けられた状態における電装品箱４３の上面図である。
【００４１】
また、第１部８７には第１固定部９１が設けられている。第１固定部９１は、第１部８７の第１制御基板８５の左右を覆う内壁から突出する爪状の形状を有しており、第１制御基板８５の縁部に係止して第１制御基板８５を固定する。第１固定部９１は、第１制御基板８５の左右いずれかの又は両方の縁部に係止するように設けられている。第１部８７は、第１制御基板８５の縁部および第１制御基板８５に実装されている制御部品に沿った形状となっており、電装品箱本体８１に第１制御基板８５が取り付けられた状態では、第１部８７は第１制御基板８５の縁部の周囲および第１制御基板８５の制御部品に近接して第１制御基板８５の上下左右および奥側を覆う。また、図９に示すように、第２部８８には、第２固定部９２が設けられている。なお、図９は、室外機３に取り付けられた状態における電装品箱４３の正面図である。第２固定部９２は、第２部８８の第２制御基板８６の上下を覆う内壁から突出する爪状の形状を有しており、第２制御基板８６の縁部に係止して第２制御基板８６を固定する。第２固定部９２は、第２制御基板８６の上下いずれかの又は両方の縁部に係止するように設けられている。第２部８８は、第２制御基板８６の縁部に沿った形状を有しており、第２部８８が電装品箱本体８１に取り付けられた状態では、第２部８８は第２制御基板８６の縁部の周囲に近接して第２制御基板８６の上下左右を覆う。なお、第１固定部９１と第２固定部９２とは、第１開口８４から見て重ならないように配置される。また、第２固定部９２は、第１開口８４から見て第１制御基板８５の縁部に重ならないように形成される。
【００４２】
さらに、図７に示すように、電装品箱本体８１の一部は可動部９３となっている。可動部９３は、一部を残して電装品箱本体８１の他の部分から切り離された舌状の形状を有しており、電装品箱本体８１の外部から力が加えられることによってスイッチ９４を操作するように移動可能に形成されている。また、図９および図１０に示すように、可動部９３の先端の内側には、電装品箱４３の内側へ向けて突出する突起９５が設けられている。可動部９３を外側から押すことによって、可動部９３が弾性変形し、突起９５を含む可動部９３の先端が電装品箱４３の内側へと移動する。可動部９３は、このような動作により、突起９５が第２制御基板８６に設けられたスイッチ９４（後述）を押すように構成されている。
【００４３】
［制御基板］
制御基板８２には、第１制御基板８５と第２制御基板８６とがあり、図７および図８に示すように、それぞれ非実装面を対向させて互いに平行に配置され、第１制御基板８５が電装品箱本体８１の奥側に、第２制御基板８６が電装品箱本体８１の第１開口８４側に配置される。
【００４４】
第１制御基板８５は、第１開口８４を通って電装品箱本体８１内に第１開口８４に略平行に取り付けられる。従って、第１制御基板８５は、電装品箱本体８１に取り付けられた状態において、鉛直方向に平行に取り付けられ、室外機３の前面に平行な状態となる。なお、第１制御基板８５の電装品箱本体８１への取付け方向は、第１制御基板８５に垂直な方向すなわち第１開口８４に垂直な方向であり、実装面を背面側に向けて電装品箱本体８１へと取り付けられる。
【００４５】
第２制御基板８６は、第１開口８４を通って第１制御基板８５と第１開口８４との間に第１制御基板８５に対して略平行に取り付けられる。従って、第２制御基板８６は、鉛直方向に平行に取り付けられ、室外機３の前面に平行な状態となる。第２制御基板８６の電装品箱本体８１への取付け方向も第１制御基板８５に垂直な方向すなわち第２制御基板８６に垂直な方向であり、実装面を前面側すなわち第１開口８４側に向けて取り付けられる。また、第２制御基板８６は、第１制御基板８５の取付け方向、すなわち第１開口８４から見て第１制御基板８５よりも大きい形状を有しており、第１制御基板８５と第２制御基板８６とは、第１開口８４から見て第１制御基板８５全体が第２制御基板８６に重なるように配置される（図９参照）。また、第２制御基板８６には、押ボタン式のスイッチ９４が実装されている。スイッチ９４は、第２制御基板８６の縁部近傍に配置されており、図１１に示すように、可動部９３の突起９５に近接する位置に突起９５に対向して配置されている。このスイッチ９４は、空気調和機１の室外機３の強制運転スイッチであり、空気調和機１の施工者等がこのスイッチ９４を押すことによって空気調和機１の試験運転等を行うことができる。なお、図１１は、図９におけるＡ−Ａ断面図である。
【００４６】
［放熱フィン］
放熱フィン８３は、図８に示すように、第１制御基板８６に実装された発熱部品に接触して設けられる。放熱フィン８３の先端は、電装品箱本体８１の第２開口８９から突出している。電装品箱４３が機械室Ｓ１に取り付けられた状態では、放熱フィン８３は、図４および図６に示すように、仕切板５６の放熱フィン突出孔５６ｃ（図３参照）を通って機械室Ｓ１から通気室Ｓ２の第２空間Ｓ４へと突出する。放熱フィン８３の先端は、第２空間Ｓ４において室外熱交換器３０の第１熱交換部３０ａと対向し、放熱フィン８３は、仕切板５６の送風ファン３８側の最端位置すなわち左側端よりも機械室Ｓ１側に配置される。従って、放熱フィン８３は、電装品箱４３が機械室Ｓ１に取り付けられた状態では、送風ファン３８の直上空間および送風ファン３８の後方空間の直上空間へと突出しておらず、送風ファン３８近傍の空気流を阻害しないように配置される。
【００４７】
＜特徴＞
（１）
この空気調和機１では、電装品箱４３の放熱フィン８３が、通気室Ｓ２の第２空間Ｓ４へと突出して室外熱交換器３０に対向して配置される。すなわち、通気室Ｓ２を流れる空気中に放熱フィン８３が置かれるため、高い放熱効果が得られる。また、放熱フィン８３は、上述したように送風ファン３８近傍の空気流に干渉しないように配置されるため、空気流の乱れによる騒音の発生を抑えることができる。
【００４８】
また、放熱フィン８３は、仕切板５６に設けられた放熱フィン突出孔５６ｃから突出するため、電装品箱４３が機械室Ｓ１に収容された状態で、放熱フィン８３のみを通気室Ｓ２へと置くことができる。従って、電装品箱４３が機械室Ｓ１と通気室Ｓ２とに跨って配置される場合と比べて、電装品箱４３に水分が浸入する恐れが低減している。
【００４９】
（２）
この空気調和機１では、電装品箱本体８１の可動部９３を電装品箱４３の外部から押すことによって、電装品箱４３の内部に収容されたスイッチ９４の操作を行うことができる。このため、電装品箱本体８１の内部に指を入れたり、制御基板８２に指が触れたりすることなく、可動部９３を介して電装品箱４３の外部からスイッチ９４の操作を行うことができる。これにより、スイッチ９４の操作の際にコンデンサ等の充電部品に指が接触することが防止され、スイッチ９４の操作における安全性が向上する。
【００５０】
また、スイッチ９４を押すための可動部９３の動作は、電装品箱本体８１の一部を弾性変形可能に形成するという簡易な構成で実現可能である。従って、可動部９３は、樹脂材料から電装品箱本体８１を一体成型する際に簡易に形成することができる。
【００５１】
（３）
この空気調和機１では、電装品箱本体８１の奥側（背面側）に比較的小さい第１制御基板８５が配置され、第１開口８４側（前面側）に比較的大きい第２制御基板８６が配置される。このため、第２制御基板８６を固定するための第２固定部９２を第１制御基板８５の取り付けを妨げないような位置に配置することが容易である。従って、制御基板８２の取り付けが容易である。
【００５２】
また、第１制御基板８５と第２制御基板８６とは非実装面が対向するように互いに平行に配置されるため、第１制御基板８５と第２制御基板８６とを近接して配置させることが容易である。また、電装品箱本体８１は、収容される制御基板８２や実装される制御部品に沿った形状となっている。このため、電装品箱４３の小型化が可能である。さらに、電装品箱本体８１は、第１開口８４側が大きく奥側が小さい形状となっているため、金型による一体成型が容易な形状となっている。また、第１固定部９１と第２固定部９２とが第１開口８４から見て重ならないように配置されるため、第１固定部９１と第２固定部９２との成型も容易である。このように、この空気調和機１の電装品箱４３は、小型化された形状を有すると共に、一体成型が容易な形状となっている。
【００５３】
＜他の実施形態＞
（１）
上記の実施形態では、電装品箱本体８１の一部が可動部９３として利用されているが、電装品箱本体８１に対して別体に設けられる可動部９３が備えられてもよい。この場合も、スイッチ操作における安全性を向上させることができる。ただし、簡易に可動部９３を形成するという観点からは、上記のように、電装品箱本体８１の一部を利用することが望ましい。
【００５４】
（２）
上記の実施形態では、スイッチ９４は押しボタン式のスイッチであるが、例えばスライド式のスイッチなどのように他の方式のスイッチが設けられてもよい。
【００５５】
（３）
上記の実施形態では、スイッチ９４は第２制御基板８６の第１開口８４側の面に実装されており、第１開口８４を通してスイッチ９４に触れることができるようになっている。しかし、可動部９３を除いて外部から操作不能となるようにスイッチ９４を電装品箱本体８１に収容してもよい。例えば、電装品箱本体８１の第１開口８４を別部材によって閉じる構成としたり、スイッチ９４を第１制御基板８５に実装させたりすることによって、外部からは操作不能とすることができる。これにより、スイッチ操作による安全性がさらに向上する。
【産業上の利用可能性】
【００５６】
本発明は、高い放熱効果を有すると共に騒音を抑えることができる効果を有し、空気調和機の室外機として有用である。
【図面の簡単な説明】
【００５７】
【図１】空気調和機の外観図。
【図２】冷媒回路の構成図。
【図３】室外機の分解斜視図。
【図４】室外機の構成の一部を示す斜視図。
【図５】室外機の構成の一部を示す正面図。
【図６】室外機の構成の一部を示す上面図。
【図７】電装品箱の分解斜視図。
【図８】電装品箱の上面図。
【図９】電装品箱の正面図。
【図１０】電装品箱の外観斜視図。
【図１１】図９におけるＡ−Ａ断面図。
【符号の説明】
【００５８】
１          空気調和機
３          室外機
５          室外機ケーシング
３０        室外熱交換器
３８        送風ファン
４３        電装品箱
５６        仕切板（仕切り部材）
５６ｃ      放熱フィン突出孔（開口）
８３        放熱フィン
Ｓ１        機械室
Ｓ２        通気室
Ｓ３        第１空間
Ｓ４        第２空間
【図１】
2005069584.tif 000003
【図２】
2005069584.tif 000004
【図３】
2005069584.tif 000005
【図４】
2005069584.tif 000006
【図５】
2005069584.tif 000007
【図６】
2005069584.tif 000008
【図７】
2005069584.tif 000009
【図８】
2005069584.tif 000010
【図９】
2005069584.tif 000011
【図１０】
2005069584.tif 000012
【図１１】
2005069584.tif 000013